(57)【特許請求の範囲】
【請求項１】
異なるプロトコルのネットワークが接続されているルータ及びそのルータに接続されている基幹系交換機を試験モードに変更するモード変更段階と、
前記ルータが管理する通信データと基幹系交換機が管理する通信データとの整合性を確認する整合性確認段階と、
送信元に折り返し送信されるデータ信号を前記ルータから基幹系交換機に送信し、そのデータ信号が前記ルータ及び基幹系交換機で正常に受信されるか確認する受信確認段階と
を有する通信データ確認試験方法。
【請求項２】
前記整合性確認段階及び受信確認段階での確認結果は、試験用信号を利用して前記基幹系交換機からルータに送信されることを特徴とする請求項１記載の通信データ確認試験方法。
【請求項３】
異なるプロトコルのネットワークが接続されているルータ及びそのルータに接続されている基幹系交換機を試験モードに変更するモード変更手段と、
前記ルータが管理する通信データと基幹系交換機が管理する通信データとの整合性を確認する整合性確認手段と、
送信元に折り返し送信されるデータ信号を前記ルータから基幹系交換機に送信し、そのデータ信号が前記ルータ及び基幹系交換機で正常に受信されるか確認する受信確認手段と
を有する通信システム。
【請求項４】
前記整合性確認手段及び受信確認手段での確認結果は、試験用信号を利用して前記基幹系交換機からルータに送信されることを特徴とする請求項３記載の通信システム。
【請求項５】
前記ルータが管理する通信データはラベルデータであり、前記基幹系交換機が管理する通信データはパスデータであることを特徴とする請求項３記載の通信システム。
【請求項６】
異なるプロトコルのネットワークを接続し、データ信号を中継するルータにおいて、
接続される基幹系交換機との整合性を確認する試験モードに変更するモード変更手段と、
前記試験モード処理で整合性を確認する通信データを前記基幹系交換機に送信する送信手段と、
前記基幹系交換機から受信した整合性データに応じて、送信元に折り返し送信されるデータ信号を基幹系交換機に送信し、そのデータ信号が前記ルータ及び基幹系交換機で正常に受信されるか確認する受信確認手段と
を有するルータ。
【請求項７】
異なるプロトコルのネットワークが接続されているルータに接続されている基幹系交換機において、
接続されるルータとの整合性を確認する試験モードに変更するモード変更手段と、
前記ルータから送信される通信データとの整合性を確認し、その確認結果を整合性データとして前記ルータに送信する送信手段と、
前記ルータから送信されるデータ信号を受信し、そのデータ信号が前記通信データと同一の通信データを有しているか確認して、その確認結果を疎通データとして前記ルータに通知する通知手段と
を有する基幹系交換機。
【発明の詳細な説明】
【０００１】
【発明の属する技術分野】
本発明は、ＭＰＬＳ（Ｍｕｌｔｉ  Ｐｒｏｔｏｃｏｌ  Ｌａｂｅｌ  Ｓｗｉｔｃｈｉｎｇ）通信方式における通信データ確認試験方法及びその方法を利用するルータ，交換機，通信システムに係り、特に、ＭＰＬＳルータが管理するラベルデータと基幹系交換機が管理する交換データとの整合性を確認するＭＰＬＳ通信方式における通信データ確認試験方法及びその方法を利用するルータ，交換機，通信システムに関する。
【０００２】
【従来の技術】
例えば、基幹系交換機としてＡＴＭ（Ａｓｙｎｃｈｒｏｎｏｕｓ  Ｔｒａｎｓｆｅｒ  Ｍｏｄｅ）交換機を利用するＭＰＬＳ通信においては、通信に必要なデータがＭＰＬＳルータが管理するラベルデータ及びＡＴＭ交換機が管理する交換データに分散されて管理されている。
【０００３】
図１は、ＭＰＬＳ通信方式の一例のシステム図を示す。ＭＰＬＳルータ１１は、ＩＰ（Ｉｎｔｅｒｎｅｔ  Ｐｒｏｔｏｃｏｌ）ネットワーク１０側から供給されたＩＰパケット１２をＡＴＭセル２１にカプセル化し、そのＡＴＭセル２１をＡＴＭネットワーク２０に出力する。ＡＴＭセル２１は、ＡＴＭ交換機２２，２４等を介してＰＶＣ（Ｐｅｒｍａｎｅｎｔ  Ｖｉｒｔｕａｌ  Ｃｉｒｃｕｉｔ）のＡＴＭ交換により相手側のＭＰＬＳルータ３１に転送される。
【０００４】
そして、ＭＰＬＳルータ３１はＡＴＭネットワーク２０側から供給されたＡＴＭセル２５のカプセル化を解除してＩＰパケット３２を取り出し、そのＩＰパケット３２をＩＰネットワーク３０に出力していた。
次に、図２を参照して、ＭＰＬＳ通信方式について更に詳細に説明する。図２は、ＭＰＬＳ通信方式の動作原理を説明する一例の図を示す。図２において、ＭＰＬＳルータ４０は、宛先ＩＰアドレスとＶＰＩ（Ｖｉｒｔｕａｌ  Ｐａｔｈ  Ｉｄｅｎｔｉｆｉｅｒ）／ＶＣＩ（Ｖｉｒｔｕａｌ  Ｃｈａｎｎｅｌ  Ｉｄｅｎｔｉｆｉｅｒ）とを１対１に対応させたラベルデータ４１を有している。また、ＡＴＭ交換機５０は、ＡＴＭ交換に利用する交換データ５１を有している。
【０００５】
ＭＰＬＳルータ４０は、ＩＰネットワーク側から供給されたＩＰパケット４２，４３をラベルデータ４１を利用してＡＴＭセル４４，４５にカプセル化し、そのＡＴＭセル４４，４５をＡＴＭ交換機５０に供給する。例えば、ＩＰパケット４２が供給されると、ＭＰＬＳルータ４０はＩＰヘッダの宛先ＩＰアドレス「１６４．６９．１５．２」に対応するＶＰＩ／ＶＣＩ「１／１０」をラベルデータ４１から読み出し、そのＶＰＩ／ＶＣＩを利用してＩＰパケット４２をカプセル化したＡＴＭセル４４を生成する。
【０００６】
ＡＴＭ交換機５０は、ＭＰＬＳルータ４０から供給されたＡＴＭセル４４，４５を交換データ５１を利用してＡＴＭ交換し、ＡＴＭセル４４，４５をＭＰＬＳルータ６０又は６１に転送する。例えば、ＡＴＭセル４４が供給されると、ＡＴＭ交換機５０はＶＰＩ／ＶＣＩ「１／１０」に対応するＶＰＩ／ＶＣＩ「２／１５」及び出力回線番号「１」を交換データ５１から読み出し、そのＶＰＩ／ＶＣＩを利用してＡＴＭセル５２を生成すると共に、回線番号「１」の回線にＡＴＭセル５２を出力する。
【０００７】
そして、ＭＰＬＳルータ６０はＡＴＭ交換機５０から供給されたＡＴＭセル５２のカプセル化を解除してＩＰパケット６２を取り出し、そのＩＰパケット６２をＩＰネットワークに出力していた。
以上のように、ＭＰＬＳ通信方式においては、通信に必要なデータがＭＰＬＳルータが管理するラベルデータ４１及び基幹系交換機が管理する交換データ５１に分散されて管理されている。
【０００８】
従って、回線開設時及び通信中の異常発生時に異常箇所を特定する場合、ラベルデータ４１及び変換データ５１を確認すると共に、ＭＰＬＳルータ４０にて正常にＡＴＭセルに変換されているか、ＡＴＭ交換機に正常にＡＴＭセルが供給されているか等をＡＴＭ回線をモニタして確認していた。
【０００９】
【発明が解決しようとする課題】
しかしながら、ＭＰＬＳルータが管理するラベルデータ及び基幹系交換機が管理する交換データを確認する為には人間が目視にて確認する必要があるが、ＭＰＬＳルータの設置場所と基幹系交換機の設置場所とが地理的に離れている場合がある。また、ＭＰＬＳルータ及び基幹系交換機の管理者が異なる場合もある。
【００１０】
したがって、ＭＰＬＳルータが管理するラベルデータ及び基幹系交換機が管理する交換データの双方を短時間で確認することが難しく、障害箇所の特定を即座に行なうことができなかった。
また、ＭＰＬＳルータにて基幹系交換機に対応するプロトコルのデータが正常に変換されているか、又、ＭＰＬＳルータにて変換されたプロトコルのデータが正常に基幹系交換機に供給されているかは、回線をモニタして確認するしか方法がなかった。
【００１１】
本発明は、上記の点に鑑みなされたもので、ＭＰＬＳ通信方式における障害箇所の特定を簡単且つ短時間に行なうことができ、迅速な障害復旧を行なうことが可能なＭＰＬＳ通信方式における通信データ確認試験方法及びその方法を利用するルータ，交換機，通信システムを提供することを目的とする。
【００１２】
【課題を解決するための手段】
そこで、上記課題を解決するため、請求項１記載の通信データ確認試験方法は、異なるプロトコルのネットワークが接続されているルータ及びそのルータに接続されている基幹系交換機を試験モードに変更するモード変更段階と、前記ルータが管理する通信データと基幹系交換機が管理する通信データとの整合性を確認する整合性確認段階と、送信元に折り返し送信されるデータ信号を前記ルータから基幹系交換機に送信し、そのデータ信号が前記ルータ及び基幹系交換機で正常に受信されるか確認する受信確認段階とを有することを特徴とする。
【００１３】
このように、ルータが管理する通信データと基幹系交換機が管理する通信データとの整合性を確認する整合性確認段階と、送信元に折り返し送信されるデータ信号をルータから基幹系交換機に送信し、そのデータ信号がルータ及び基幹系交換機で正常に受信されるか確認する受信確認段階とを有することにより、ルータ及び基幹系交換機間の通信データの整合性確認，データ信号透過確認，及びデータ信号疎通確認が容易に可能となる。
【００１４】
したがって、本発明の通信データ確認試験方法は障害箇所の特定を簡単且つ短時間に行なうことができる。言い換えれば、通信システムで障害が発生した時、基幹系交換機側又はルータ側のどちらに障害が生じているのか、障害箇所の切り分けが可能である。
また、請求項２記載の通信データ確認試験方法は、前記整合性確認段階及び受信確認段階での確認結果は、試験用信号を利用して前記基幹系交換機からルータに送信されることを特徴とする。
【００１５】
このように、基幹系交換機側で確認された確認結果は、試験用信号を利用してルータに送信される。したがって、通信データ確認試験の試験結果を迅速且つ容易に収集することができ、障害箇所の特定を簡単且つ短時間に行なうことが可能である。
また、請求項３記載の通信システムは、異なるプロトコルのネットワークが接続されているルータ及びそのルータに接続されている基幹系交換機を試験モードに変更するモード変更手段と、前記ルータが管理する通信データと基幹系交換機が管理する通信データとの整合性を確認する整合性確認手段と、送信元に折り返し送信されるデータ信号を前記ルータから基幹系交換機に送信し、そのデータ信号が前記ルータ及び基幹系交換機で正常に受信されるか確認する受信確認手段とを有することを特徴とする。
【００１６】
このように、ルータが管理する通信データと基幹系交換機が管理する通信データとの整合性を確認する整合性確認手段と、送信元に折り返し送信されるデータ信号をルータから基幹系交換機に送信し、そのデータ信号がルータ及び基幹系交換機で正常に受信されるか確認する受信確認手段とを有することにより、ルータ及び基幹系交換機間の通信データの整合性確認，データ信号透過確認，及びデータ信号疎通確認が容易に可能となる。
【００１７】
したがって、本発明の通信システムは障害箇所の特定を簡単且つ短時間に行なうことができる。言い換えれば、通信システムで障害が発生した時、基幹系交換機側又はルータ側のどちらに障害が生じているのか、障害箇所の切り分けが可能である。
また、請求項４記載の通信システムは、前記整合性確認手段及び受信確認手段での確認結果は、試験用信号を利用して前記基幹系交換機からルータに送信されることを特徴とする。
【００１８】
このように、基幹系交換機側で確認された確認結果は、試験用信号を利用してルータに送信される。したがって、通信データ確認試験の試験結果を迅速且つ容易に収集することができ、障害箇所の特定を簡単且つ短時間に行なうことが可能である。
また、請求項５記載の通信システムは、前記ルータが管理する通信データはラベルデータであり、前記基幹系交換機が管理する通信データはパスデータであることを特徴とする。
【００１９】
このように、本発明の通信システムは、ルータが管理するラベルデータと基幹系交換機が管理する通信データとの整合性を迅速且つ容易に確認することが可能である。
また、請求項６記載のルータは、異なるプロトコルのネットワークを接続し、データ信号を中継するルータにおいて、接続される基幹系交換機との整合性を確認する試験モードに変更するモード変更手段と、前記試験モード処理で整合性を確認する通信データを前記基幹系交換機に送信する送信手段と、前記基幹系交換機から受信した整合性データに応じて、送信元に折り返し送信されるデータ信号を基幹系交換機に送信し、そのデータ信号が前記ルータ及び基幹系交換機で正常に受信されるか確認する受信確認手段とを有することを特徴とする。
【００２０】
このように、試験モード処理で整合性を確認する通信データを基幹系交換機に送信し、送信元に折り返し送信されるデータ信号がルータ及び基幹系交換機で正常に受信されるか確認することにより、ルータ及び基幹系交換機間の通信データの整合性確認，データ信号透過確認，及びデータ信号疎通確認が容易に可能となる。
【００２１】
したがって、本発明のルータは障害箇所の特定を簡単且つ短時間に行なうことができ、迅速な障害復旧を行なうことができる。
また、請求項７記載の基幹系交換機は、異なるプロトコルのネットワークが接続されているルータに接続されている基幹系交換機において、接続されるルータとの整合性を確認する試験モードに変更するモード変更手段と、前記ルータから送信される通信データとの整合性を確認し、その確認結果を整合性データとして前記ルータに送信する送信手段と、前記ルータから送信されるデータ信号を受信し、そのデータ信号が前記通信データと同一の通信データを有しているか確認して、その確認結果を疎通データとして前記ルータに通知する通知手段とを有することを特徴とする。
【００２２】
このように、送信される通信データとの整合性を確認してルータに送信し、受信したデータ信号が前記通信データと同一の通信データを有しているか確認してルータに通知することにより、ルータ及び基幹系交換機間の通信データの整合性確認，データ信号透過確認，及びデータ信号疎通確認が容易に可能となる。
したがって、本発明の基幹系交換機は障害箇所の特定を簡単且つ短時間に行なうことができ、迅速な障害復旧を行なうことができる。
【００２３】
【発明の実施の形態】
以下に、本発明の実施例を図面に基づいて説明する。なお、本実施例では、基幹系交換機としてＡＴＭ交換機を利用するＭＰＬＳ通信について説明するが、これに限るものではない。例えば、基幹系交換機としてフレームリレー，ＣＤＭＡ等を利用することも可能である。
【００２４】
図３は、本発明の通信システムの一実施例の構成図を示す。図３において、本発明の通信システムは、保守用端末７０，端末７１，ＭＰＬＳルータ８０，ＡＴＭ交換機９０，及びＡＴＭ交換機保守用端末７２を含む構成である。
本発明の通信システム構成について更に詳細に説明すると、ＭＰＬＳルータ８０は、ＩＰパケット通信制御部８３，制御データ管理部８４，通信データ管理部８５，通信データ確認試験部８６からなる中央処理装置８１と、加入者線対応部８７，ＡＴＭ回線対応部８８からなるＭＰＬＳ通信装置８２とを含む。
【００２５】
また、ＡＴＭ交換機９０は、ＡＴＭデータ管理部９３，保守メッセージ出力部９４，通信データ確認試験部９５からなる中央処理装置９１と、回線対応部９６，スイッチ部９７からなる回線制御装置群９２とを含む。
以下、図３の通信システムの動作について、図４及び図５を適宜参照しつつ説明していく。図４は、本発明のＭＰＬＳ通信方式における通信データ確認試験方法の概要について説明する一例の図を示す。図５は、本発明のＭＰＬＳ通信方式で使用する試験用信号を説明する一例の図を示す。
【００２６】
ＩＰパケット通信制御部８３は、保守用端末７０又は端末７１から送信されるＩＰパケットを受信する機能、受信したＩＰパケットをカプセル化してＡＴＭセルに変換する機能、変換したＡＴＭセルをＡＴＭ交換機９０に送信する機能、及びＡＴＭ交換機９０から送信されるＡＴＭセルを受信する機能、受信したＡＴＭセルのカプセル化を解除してＩＰパケットに変換する機能、変換したＩＰアドレスを保守用端末７０又は端末７１に送信する機能を有する。
【００２７】
また、ＩＰパケット通信制御部８３は、例えば図４に示すように、保守用端末７０から試験開始を指示する信号１０４が供給されると、制御データ管理部８４にＩＰアドレス動作モードを試験用に変換する変換要求を通知する。また、ＩＰパケット通信制御部８３は、端末７１からＩＰパケット１００を供給されると、制御データ管理部８４にＩＰアドレス動作モードを問い合わせ、ＩＰアドレス動作モードが試験用の場合に、通信データ確認試験部８６に試験開始要求を通知する。
【００２８】
更に、ＩＰパケット通信制御部８３は、通信データ確認試験部８６から試験終了通知を供給されると、制御データ管理部８４にＩＰアドレス動作モードを通常用に変換する変換要求を通知する。制御データ管理部８４は、各ＩＰアドレスに対応するＩＰアドレス動作モードを管理する機能を有する。
通信データ管理部８５は、ＩＰアドレスに対応するＡＴＭパスデータＶＰＩ／ＶＣＩを管理する機能、言い換えれば図４におけるラベルデータ１０１を有している。従って、通信データ管理部８５はＩＰアドレス動作モードが通常用の場合、ＩＰパケット通信制御部８３が受信したＩＰパケットをＡＴＭセルに変換することが可能となる。
【００２９】
また、通信データ管理部８５はＩＰアドレス動作モードが試験用の場合、試験対象のＩＰアドレスに対応するＡＴＭパスデータＶＰＩ／ＶＣＩを有するＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）セル１０２を作成することが可能となる。なお、ＯＡＭセル１０２とは故障箇所の特定の為などに利用されるセルであって、送信元に折り返し送信されることを特徴とする。
【００３０】
通信データ確認試験部８６は、試験処理制御機能，試験信号制御機能，及び試験セル送受信制御機能を有する。試験処理制御機能は、例えば図４に示すような試験処理動作１０５〜１０９を制御する。また、試験信号制御機能は、ＭＰＬＳルータ８０及びＡＴＭ交換機９０間の試験用信号の送受信を制御する。例えば、送受信される試験用信号は、図５に示すような信号である。試験セル送受信制御機能は、ＯＡＭセル１０２の送受信を制御する。
【００３１】
ここで、図５を参照して試験用信号について簡単に説明しておく。試験用信号１１０は制御情報部１１２と情報要素１１４とで構成され、その制御情報部１１２に信号種別１１６が含まれている。試験用信号１１０は、信号種別１１６に応じて情報要素１１４に含まれるデータが異なる。
例えば、信号種別１１６が試験開始通知である場合、情報要素１１４は試験識別子及びＡＴＭパスデータを含む情報要素１２０となる。このような情報要素１２０を有する試験用信号１１０は、図４に示す試験処理動作１０５においてＭＰＬＳルータ８０からＡＴＭ交換機９０に送信される。
【００３２】
信号種別１１６が試験開始通知応答である場合、情報要素１１４は試験識別子，試験開始処理結果，及び整合性チェック結果を含む情報要素１２１となる。このような情報要素１２１を有する試験用信号１１０は、図４に示す試験処理動作１０６においてＡＴＭ交換機９０からＭＰＬＳルータ８０に送信される。
信号種別１１６が試験終了通知である場合、情報要素１１４は試験識別子を含む情報要素１２２となる。このような情報要素１２２を有する試験用信号１１０は、図４に示す試験処理動作１０８においてＭＰＬＳルータ８０からＡＴＭ交換機９０に送信される。
【００３３】
更に、信号種別１１６が試験終了通知応答である場合、情報要素１１４は試験識別子，試験終了処理結果，及び疎通確認結果を含む情報要素１２３となる。このような情報要素１２３を有する試験用信号１１０は、図４に示す試験処理動作１０９においてＡＴＭ交換機９０からＭＰＬＳルータ８０に送信される。
図３に戻り、更に通信システムの動作について説明を続ける。ＡＴＭデータ管理部９３は、通信データ管理部８５で管理されているＡＴＭパスデータに対応するＡＴＭ交換先のＡＴＭパスデータを管理する機能、言い換えれば交換データを有している。
【００３４】
通信データ確認試験部９５は、試験処理制御機能，試験信号制御機能，及び試験セルモニター制御機能を有する。試験処理制御機能は、例えば図４に示すような試験処理動作１０５〜１０９のうち、ＡＴＭ交換機９０側の試験処理動作を制御する。また、試験信号制御機能は、ＡＴＭ交換機９０及びＭＰＬＳルータ８０間の試験用信号の送受信を制御する。
【００３５】
試験セルモニター制御機能は、ＭＰＬＳルータ８０から送信されるＯＡＭセル１０２の送受信を制御する。また、保守メッセージ出力部９４は、ＡＴＭ交換機９０で発生した事象をＡＴＭ交換機９０に接続されたＡＴＭ交換機保守用端末７２にメッセージとして出力する。
以下、図６〜図８を参照して本発明の通信システムの詳細について説明していく。図６は、本発明の通信システムの他の実施例の構成図を示す。図７は、本発明の通信システムの一例のシーケンス図を示す。また、図８は、本発明の通信システムで使用する試験用信号を説明する一例の図を示す。なお、図６の構成図は一部を除いて図３の構成図と同様であり、同一部分には同一符号を付して説明を省略する。
【００３６】
通信データ確認試験を開始する場合、管理者は保守用端末７０等の遠隔端末からＭＰＬＳルータ８０にアクセスし、ＩＰアドレス動作モードを試験用に変換する変換要求を行なう。この変換要求がＩＰパケット通信制御部８３を経由して制御データ管理部８４に通知され、制御データ管理部８４はＩＰアドレス動作モードを試験用に変換する。
【００３７】
図７のシーケンス図は、ＩＰアドレス動作モードが試験用に変換された後の処理について示している。図７において、ステップＳ１０では、管理者は任意の端末７１からＭＰＬＳルータ８０にＩＰパケットを送信する。ステップＳ１２では、ＩＰパケット通信制御部８３は制御データ管理部８４にＩＰアドレス動作モードを問い合わせ、ＩＰアドレス動作モードが試験用の場合に、通信データ確認試験制御部１３０に試験開始要求を通知する。
【００３８】
ステップＳ１４では、通信データ確認試験制御部１３０は試験識別子を確保した後、通信データ管理部８５に対して、入力されたＩＰアドレスに対応するＡＴＭパスデータの読み出しを依頼する。続いてステップＳ１６では、通信データ管理部８５は依頼されたＡＴＭパスデータを通信データ確認試験制御部１３０に供給する。
【００３９】
ステップＳ１８では、通信データ確認試験制御部１３０は供給されたＡＴＭパスデータと試験識別子とに基づいて、ルータ側信号制御部１３１に試験開始要求の送信依頼を行なう。ステップＳ２０では、ルータ側信号制御部１３１は供給されたＡＴＭパスデータと試験識別子とに基づく情報から図８の情報要素１５５を有する試験用信号１５０を生成し、その試験用信号１５０をＭＰＬＳルータ８０からＡＴＭ交換機９０に送信する。
【００４０】
ＭＰＬＳルータ８０からＡＴＭ交換機９０に試験用信号１５０が送信されると、交換機側信号制御部１４１は試験用信号１５０を受信し、試験識別子及びＡＴＭパスデータを読み出す。ステップＳ２２では、交換機側信号制御部１４１は読み出した試験識別子及びＡＴＭパスデータを交換機側試験制御部１４０に通知する。
【００４１】
ステップＳ２４では、交換機側試験制御部１４０は試験識別子に対応する試験管理用のリソースを捕捉した場合、ＡＴＭパスデータを保持した後、保守メッセージ出力部９４に試験開始メッセージの出力要求を通知する。なお、保守メッセージ出力部９４は、ＡＴＭ交換機保守用端末７２の管理者に試験を実施する旨を通知する。また、ステップＳ２６では、保守メッセージ出力部９４は、試験開始メッセージの出力要求応答を交換機側試験制御部１４０に通知する。
【００４２】
ステップＳ２８では、交換機側試験制御部１４０は読み出したＡＴＭパスデータがＡＴＭデータ管理部９３に登録されているか否かの確認要求を通知する。そして、ステップＳ３０では、ＡＴＭデータ管理部９３は読み出したＡＴＭパスデータが登録されているか否かをチェックし、そのチェックの結果を交換機側試験制御部１４０に通知する。
【００４３】
また、ステップＳ３２では、交換機側試験制御部１４０は試験セルモニター部１４２に対してセル監視要求を通知する。そして、ステップＳ３４において、試験セルモニター部１４２はセル監視要求応答を交換機側試験制御部１４０に通知する。なお、試験セルモニター部１４２は、回線制御装置群９２に受信ＡＴＭセル監視要求を通知し、ＡＴＭ交換機９０を受信監視状態とする。
【００４４】
受信監視状態に変更した後ステップＳ３６では、交換機側試験制御部１４０は交換機側信号制御部１４１に試験開始処理結果及びＡＴＭパスデータ整合性チェックの結果に基づいて試験開始要求応答の送信依頼を行なう。ステップＳ３８では、交換機側信号制御部１４１は試験開始処理結果及びＡＴＭパスデータ整合性チェックの結果に基づく情報から図８の情報要素１５６を有する試験用信号１５０を生成し、その試験用信号１５０をＡＴＭ交換機９０からＭＰＬＳルータ８０に送信する。
【００４５】
ＡＴＭ交換機９０からＭＰＬＳルータ８０に情報要素１５６を有する試験用信号１５０が送信されると、通信データ確認試験制御部１３０は試験用信号１５０を受信し、試験識別子，試験開始処理結果，試験開始処理結果異常要因，整合性確認結果を読み出す。
通信データ確認試験制御部１３０は、試験開始処理結果及び整合性確認結果が正常であれば、ステップＳ４０に示すように、試験セル送受信制御部１３２にＯＡＭセル試験開始要求を通知する。なお、通信データ確認試験制御部１３０は、試験開始処理結果及び整合性確認結果が異常であれば、ＩＰパケット通信制御部８３を経由して保守用端末７０にその旨を通知し、試験処理を終了する。
【００４６】
試験セル送受信制御部１３２は、ＯＡＭセル試験開始要求を通知されると、ＭＰＬＳ通信装置８２にＯＡＭセル送信依頼を行なう。そして、ＭＰＬＳ通信装置８２は読み出されたＶＰＩ／ＶＣＩに対応するＯＡＭセルを生成し、ＡＴＭ交換機９０にそのＯＡＭセルを送信する。
その後、ＡＴＭ交換機９０の回線制御装置群９２はＯＡＭセルを受信すると、そのセル情報を試験セルモニター部１４２に通知すると共に、そのＯＡＭセルをＭＰＬＳルータ８０側に折り返して送信する。そして、ステップＳ４２では、試験セルモニター部１４２は通知されたセル情報を交換機側試験制御部１４０に通知する。
【００４７】
ステップＳ４６では、交換機側試験制御部１４０はセル情報を通知されると、疎通確認結果を正常と判定し、その判定結果を保持すると共に、保守メッセージ出力部９４にＯＡＭセル受信メッセージの出力要求を通知する。保守メッセージ出力部９４は、ＡＴＭ交換機保守用端末７２の管理者にＯＡＭセルを受信した旨を通知する。また、ステップＳ４８では、保守メッセージ出力部９４は、ＯＡＭセル受信メッセージの出力要求応答を交換機側試験制御部１４０に通知する。
【００４８】
一方、回線制御装置群９２で折り返されたＯＡＭセルは、ＭＰＬＳ通信装置８２により受信される。ＭＰＬＳ通信装置８２は、この折り返し送信されたＯＡＭセルと送信したＯＡＭセルとを照合し、ＭＰＬＳルータ８０及びＡＴＭ交換機９０間のセル透過確認結果を正常と判定する。ＭＰＬＳ通信装置８２は、その判定結果を試験セル送受信制御部１３２に通知する。
【００４９】
ステップＳ４４では、試験セル送受信制御部１３２はセル透過確認結果を通信データ確認試験制御部１３０に通知する。ステップＳ５０では、通信データ確認試験制御部１３０は試験識別子に基づいて、ルータ側信号制御部１３１に試験終了要求の送信依頼を行なう。ステップＳ５２では、ルータ側信号制御部１３１は試験識別子に基づく情報から図８の情報要素１５７を有する試験用信号１５０を生成し、その試験用信号１５０をＭＰＬＳルータ８０からＡＴＭ交換機９０に送信する。
【００５０】
ＭＰＬＳルータ８０からＡＴＭ交換機９０に試験用信号１５０が送信されると、交換機側信号制御部１４１は試験用信号１５０を受信し、試験識別子を読み出す。ステップＳ５４では、交換機側信号制御部１４１は読み出した試験識別子を交換機側試験制御部１４０に通知する。
ステップＳ５６では、交換機側試験制御部１４０は試験識別子に対応する試験管理用のリソースを捕捉した場合、保守メッセージ出力部９４に試験終了メッセージの出力要求を通知する。なお、保守メッセージ出力部９４は、ＡＴＭ交換機保守用端末７２の管理者に試験を終了する旨を通知する。また、ステップＳ５８では、保守メッセージ出力部９４は、試験終了メッセージの出力要求応答を交換機側試験制御部１４０に通知する。
【００５１】
また、ステップＳ６０では、交換機側試験制御部１４０は試験セルモニター部１４２に対してセル監視終了を通知する。そして、ステップＳ６２において、試験セルモニター部１４２はセル監視終了応答を交換機側試験制御部１４０に通知する。なお、試験セルモニター部１４２は、回線制御装置群９２に受信ＡＴＭセル監視終了を通知し、ＡＴＭ交換機９０の受信監視状態を解除する。
【００５２】
ステップＳ６４では、交換機側試験制御部１４０は交換機側信号制御部１４１に試験終了処理結果及び疎通確認結果に基づいて試験終了要求応答の送信依頼を行なう。ステップＳ６６では、交換機側信号制御部１４１は試験終了処理結果及び疎通確認結果に基づく情報から図８の情報要素１５８を有する試験用信号１５０を生成し、その試験用信号１５０をＡＴＭ交換機９０からＭＰＬＳルータ８０に送信する。
【００５３】
ステップＳ６８，Ｓ７０では、ＡＴＭ交換機９０からＭＰＬＳルータ８０に情報要素１５８を有する試験用信号１５０が送信され、通信データ確認試験制御部１３０はセル透過確認結果，疎通確認結果等の試験結果に基づいて試験結果を生成してＩＰパケット通信制御部８３に送信する。そして、ＩＰパケット通信制御部８３は、その試験結果を保守用端末７０に送信している。
【００５４】
以上のように、本発明の通信システムはＭＰＬＳ通信方式における障害箇所の特定を簡単且つ短時間に行なうことができる。言い換えれば、通信システムで障害が発生した時、基幹系交換機側又はＭＰＬＳルータ側のどちらに障害が生じているのか、障害箇所の切り分けが可能である。
したがって、本発明のＭＰＬＳ通信方式における通信データ確認試験方法及びその方法を利用するルータ，交換機，通信システムは、迅速な障害復旧を行なうことが可能である。
【００５５】
なお、特許請求の範囲に記載した整合性確認段階はステップＳ１４〜Ｓ３８での処理に対応し、受信確認段階はステップＳ４０〜Ｓ６８での処理に対応し、ルータが管理する通信データはラベルデータ４１に対応し、基幹系交換機が管理する通信データは交換データ５１に対応する。
【００５６】
【発明の効果】
上述の如く、本発明によれば、ＭＰＬＳ通信方式における障害箇所の特定を簡単且つ短時間に行なうことができる。言い換えれば、通信システムで障害が発生した時、基幹系交換機側又はＭＰＬＳルータ側のどちらに障害が生じているのか、障害箇所の切り分けが可能である。
【００５７】
したがって、迅速な障害復旧を行なうことが可能となり、信頼性及びサービス性の向上が実現できる。
【図面の簡単な説明】
【図１】ＭＰＬＳ通信方式の一例のシステム図である。
【図２】ＭＰＬＳ通信方式の動作原理を説明する一例の図である。
【図３】本発明の通信システムの一実施例の構成図である。
【図４】本発明のＭＰＬＳ通信方式における通信データ確認試験方法の概要について説明する一例の図である。
【図５】本発明のＭＰＬＳ通信方式で使用する試験用信号を説明する一例の図である。
【図６】本発明の通信システムの他の実施例の構成図である。
【図７】本発明の通信システムの一例のシーケンス図である。
【図８】本発明の通信システムで使用する試験用信号を説明する一例の図である。
【符号の説明】
８０    ＭＰＬＳルータ
８１，９１    中央処理装置
８２    ＭＰＬＳ通信装置
８３    ＩＰパケット通信制御部
８４    制御データ管理部
８５    通信データ管理部
８６，９５    通信データ確認試験部
８７    加入者線対応部
８８    ＡＴＭ回線対応部
９０    ＡＴＭ交換機
９２    回線制御装置群
９３    ＡＴＭデータ管理部
９４    保守メッセージ出力部
９６    回線対応部
９７    スイッチ部
１０２    ＯＡＭセル
１１０    試験用信号
１３０    通信データ確認試験制御部
１３１    ルータ側信号制御部
１３２    試験セル送受信制御部
１４０    交換機側試験制御部
１４１    交換機側信号制御部
１４２    試験セルモニター部
【図１】
0004031894.tif 000002
【図２】
0004031894.tif 000003
【図３】
0004031894.tif 000004
【図４】
0004031894.tif 000005
【図５】
0004031894.tif 000006
【図６】
0004031894.tif 000007
【図７】
0004031894.tif 000008
【図８】
0004031894.tif 000009